(57)【要約】【課題】プラズマディスプレイパネルの放電空間に存在する不純物ガスの悪影響を抑制することで、高画質、長寿命のプラズマディスプレイパネルを実現する。【解決手段】走査電極４と維持電極５とからなる表示電極６を複数形成し、その表示電極６を覆って誘電体層７を形成した前面板１と、データ電極１０を表示電極６に対して直交するように複数形成した背面板２とを、内部に放電空間が形成されるように対向配置して表示電極６とデータ電極１０との交差部に放電セルを形成したプラズマディスプレイパネルであって、誘電体層７に放電空間内の不純物ガスを吸着または結合させる材料を含む突出部１７を設けている。【選択図】図１
2006031994.tif 000002
【特許請求の範囲】
【請求項１】
走査電極と維持電極とからなる表示電極を複数形成し、前記表示電極を覆って誘電体層を形成した前面板と、データ電極を前記表示電極に対して直交するように複数形成した背面板とを、内部に放電空間が形成されるように対向配置して前記表示電極と前記データ電極との交差部に放電セルを形成したプラズマディスプレイパネルであって、
前記誘電体層に前記放電空間内の不純物ガスを吸着または結合させる材料を含む突出部を設けたことを特徴とするプラズマディスプレイパネル。
【請求項２】
不純物ガスが、Ｈ２Ｏ、ＣＯ２、ＮＯｘ、ＳＯｘまたはハイドロカーボンのうちの少なくとも１つのガスであることを特徴とする請求項１に記載のプラズマディスプレイパネル。
【請求項３】
不純物ガスを吸着または結合させる材料が、放電空間に露出していることを特徴とする請求項１に記載のプラズマディスプレイパネル。
【請求項４】
不純物ガスを吸着または結合させる材料が、アルカリ金属またはアルカリ土類金属の中から選ばれる少なくとも１つであることを特徴とする請求項１または３に記載のプラズマディスプレイパネル。
【請求項５】
不純物ガスを吸着または結合させる材料が、アルカリ金属またはアルカリ土類金属の、酸化物、炭酸塩、硝酸塩、またはハロゲン化物の中から選ばれる少なくとも１つであることを特徴とする請求項１または３に記載のプラズマディスプレイパネル。
【請求項６】
不純物ガスを吸着または結合させる材料が、Ａｌ、Ｔｉ、Ｚｒ、Ｓｉの単体またはその酸化物から選ばれる少なくとも１つであることを特徴とする請求項１または３に記載のプラズマディスプレイパネル。
【請求項７】
突出部が、表示電極に平行または直交して設けられていることを特徴とする請求項１に記載のプラズマディスプレイパネル。
【請求項８】
突出部が、表示電極に平行および直交した井桁形状であることを特徴とする請求項１に記載のプラズマディスプレイパネル。
【請求項９】
隣接する放電セルの間に設けられた突出部が、凹部を有していることを特徴とする請求項１に記載のプラズマディスプレイパネル。
【請求項１０】
突出部は、その誘電率が誘電体層の誘電率よりも低い物質で形成されていることを特徴とする請求項１、７、８、９のいずれかに記載のプラズマディスプレイパネル。
【請求項１１】
突出部が、着色されていることを特徴とする請求項１、７、８、９、１０のいずれかに記載のプラズマディスプレイパネル。
【発明の詳細な説明】
【技術分野】
【０００１】
本発明は表示デバイスとして知られているプラズマディスプレイパネルに関し、特に高画質、長寿命を実現するプラズマディスプレイパネルに関するものである。
【背景技術】
【０００２】
近年、双方向情報端末として大画面、壁掛けテレビへの期待が高まっており、そのための表示デバイスとして、液晶表示パネル、フィールドエミッションディスプレイ、エレクトロルミネッセンスディスプレイなどの数多くのものがある。これらの表示デバイスの中でもプラズマディスプレイパネル（以下、ＰＤＰと呼ぶ）は、自発光型で美しい画像表示ができ、大画面化が容易であるなどの理由から、視認性に優れた薄型表示デバイスとして注目されており、高精細化および大画面化に向けた開発が進められている。
【０００３】
ＰＤＰには、大別して、駆動的にはＡＣ型とＤＣ型があり、放電形式では面放電型と対向放電型の２種類があるが、高精細化、大画面化および製造の簡便性から、現状では、ＡＣ型で面放電型のＰＤＰが主流を占めるようになってきている。
【０００４】
ＰＤＰは、透明基板上に表示電極、誘電体層、ＭｇＯによる保護層などの構成物より形成した前面板と、基板上にデータ電極、誘電体層、隔壁、蛍光体層などの構成物より形成した背面板とを、内部に微小な空間（内部空間）を形成するように対向配置して周囲を封着部材により封止している。そして内部空間にネオンおよびキセノンなどを混合してなる放電ガスを、例えば６６５００Ｐａ（約５００Ｔｏｒｒ）程度の圧力で封入することにより構成したものである（例えば、非特許文献１参照）。
【非特許文献１】内池平樹、御子柴茂生共著、「プラズマディスプレイのすべて」（株）工業調査会、１９９７年５月１日、ｐ７９−ｐ８０
【発明の開示】
【発明が解決しようとする課題】
【０００５】
ＰＤＰはそれらの構成物をその前駆体となる材料をペースト化したものを塗布し、それを焼成することで形成している。ここで、この焼成過程においてはさまざまなガスが発生し、この発生したガスの一部がＰＤＰの構成物の表面に不純物として吸着または結合した状態で存在する。この不純物はＰＤＰ内において不純物ガスの発生源となり、放電に影響を与えるとともに、画質や寿命を劣化させる原因となっていた。また、不純物ガスの対策として不純物ガスを吸着または結合させる物質をＰＤＰの構成物質に形成する手法が知られている。しかし、上述の構造では吸着または結合した不純物ガスが放電に曝されるため、放電のエネルギーにより吸着または結合した不純物ガスを脱離してしまう問題が生じた。
【０００６】
本発明はこのような状況に鑑みてなされたもので、高画質、長寿命のＰＤＰを実現することを目的とする。
【課題を解決するための手段】
【０００７】
上記目的を達成するために本発明のＰＤＰは、走査電極と維持電極とからなる表示電極を複数形成し、その表示電極を覆って誘電体層を形成した前面板と、データ電極を表示電極に対して直交するように複数形成した背面板とを、内部に放電空間が形成されるように対向配置して表示電極とデータ電極との交差部に放電セルを形成したＰＤＰであって、誘電体層に放電空間内の不純物ガスを吸着または結合させる材料を含む突出部を設けている。
【０００８】
このような構成によれば、放電を突出部の内部に局在化させることができ、突出部の頂部まで放電が広がらないように制御し、突出部を不純物ガスを吸着または結合させる材料によって不純物ガスを除去し、さらに放電によって再脱離することを抑制でき、高画質、長寿命のＰＤＰを実現できる。
【０００９】
不純物ガスが、Ｈ２Ｏ、ＣＯ２、ＮＯｘ、ＳＯｘまたはハイドロカーボンのうちの少なくとも１つのガスであることが望ましく、ＰＤＰの放電空間に存在してＰＤＰ放電特性に悪影響を与える不純物ガスを効果的に低減することができる。
【００１０】
さらに、不純物ガスを吸着または結合させる材料が放電空間に露出していることが望ましく、放電空間からの不純物ガスの除去を効果的に行うことができる。
【００１１】
さらに、不純物ガスを吸着または結合させる材料が、アルカリ金属またはアルカリ土類金属の中から選ばれる少なくとも１つであることが望ましく、アルカリ金属またはアルカリ土類金属は、不純物ガスである、Ｈ２Ｏ、ＣＯ２、ＮＯｘ、ＳＯｘまたはハイドロカーボンを効果的に吸着または結合させることができる。
【００１２】
さらに、不純物ガスを吸着または結合させる材料が、アルカリ金属またはアルカリ土類金属の、酸化物、炭酸塩、硝酸塩、またはハロゲン化物の中から選ばれる少なくとも１つであることが望ましく、Ｈ２Ｏ、ＣＯ２、ＮＯｘ、ＳＯｘまたはハイドロカーボンをさらに効果的に吸着または結合させることができる。
【００１３】
さらに、不純物ガスを吸着または結合させる材料が、Ａｌ、Ｔｉ、Ｚｒ、Ｓｉの単体またはその酸化物から選ばれる少なくとも１つであることが望ましく、不純物ガスである、Ｈ２Ｏ、ＣＯ２、ＮＯｘ、ＳＯｘまたはハイドロカーボンをさらに効果的に吸着または結合させることができる。
【００１４】
また、突出部が表示電極に平行または直交して設けられていてもよく、このような構成によれば、放電を突出部の内部に局在化させることができ、突出部および突出部の上部まで放電が広がらないように制御できる。
【００１５】
さらに、突出部が表示電極に平行および直交した井桁形状であってもよく、このような構成によれば、放電を突出部の内部に局在化させることができ、突出部および突出部の上部まで放電が広がらないように制御できるとともに、突出部の面積を増大することができ、不純物ガスの吸着または結合の効果を増大することができる。
【００１６】
さらに、隣接する放電セルの間に設けられた突出部が凹部を有していることが望ましく、このような構成によれば、非放電領域内に凹形状の突出部が形成され、放電が広がらない領域での突出部の面積をさらに増大することができ、不純物ガスの吸着または結合の効果の増大と、不純物ガスの脱離をより低減することができる。
【００１７】
また、突出部はその誘電率が誘電体層の誘電率よりも低い物質で形成されていることが望ましく、このような構成によれば、突出部の高さを実効的により高くした効果があり、放電を突出部の内部に局在化させる効果を増大させることができる。
【００１８】
また、突出部が着色されていることが望ましく、このような構成によれば、非放電領域の突出部が黒または灰色などに着色されていることにより、表示画面のコントラストを向上させることができる。
【発明の効果】
【００１９】
本発明のＰＤＰによれば、ＰＤＰの放電空間に存在する不純物ガスを低減することができ、よって高画質、長寿命のＰＤＰを実現することができる。
【発明を実施するための最良の形態】
【００２０】
以下、本発明の実施の形態によるＰＤＰについて、図面を用いて説明する。
【００２１】
（第１の実施の形態）
図１は、本発明の第１の実施の形態におけるＰＤＰの概略構成を示す斜視図である。図１に示すように、ＰＤＰは、前面板１と背面板２とから構成されている。
【００２２】
前面板１は、ガラス基板などの透明な前面基板３上に設けられたＰＤＰの構成物としての走査電極４と維持電極５とで対をなすストライプ状の表示電極６と、その表示電極６群を覆う誘電体層７と、さらにその誘電体層７上のＭｇＯからなるＭｇＯ保護層８とを有する。さらに、誘電体層７は突出部１７を有し、かつ突出部１７にはＰＤＰの放電空間内に存在する不純物ガスを吸着または再結合させる材料が放電空間に露出した状態で備えられている。
【００２３】
なお、走査電極４および維持電極５は、それぞれ透明電極４ａ、５ａ、およびこの透明電極４ａ、５ａに電気的に接続されたＣｒ／Ｃｕ／ＣｒまたはＡｇなどからなるバス電極４ｂ、５ｂとから構成されている。
【００２４】
また、背面板２は、前面基板３に対向配置される背面基板９上に、ＰＤＰの構成物として、表示電極６と直交する方向に形成したデータ電極１０と、そのデータ電極１０を覆う下地層である誘電体層１１と、この誘電体層１１上の、例えばストライプ状の隔壁１２と、この隔壁１２間の側面および誘電体層１１の表面に形成した蛍光体層１３とを有する。蛍光体層１３はカラー表示のために、赤色、緑色、青色の３色が順に配置されている。
【００２５】
なお、図１では、隔壁１２の形状はストライプ状を示したが、ストライプ状に限定するものではなく、他の形状でも本実施の形態に示す効果を発揮できる。
【００２６】
そして、以上の前面板１と背面板２とを、表示電極６とデータ電極１０とが直交し、内部に微小な放電空間を形成するように隔壁１２を挟んで対向配置し、周囲を封着部材により封止している。そして内部空間にネオンおよびキセノンなどを混合してなる放電ガスを６６５００Ｐａ（約５００Ｔｏｒｒ）程度の圧力で封入することによりＰＤＰを構成している。なお、図１では内部の構成が判りやすいように、前面板１と背面板２とは間を離して描いているが、実際には、前面板１と背面板２とは、隔壁１２を挟んだ状態で対向配置している。
【００２７】
そして、データ電極１０、表示電極６に印加する周期的な電圧によって放電を発生させ、この放電による紫外線を蛍光体層１３に照射して可視光に変換させることにより、画像表示を行う。
【００２８】
図２は、本発明の第１の実施の形態におけるＰＤＰの画像表示部の構成を示す平面図でである。走査電極４と維持電極５は、図２に示すように、マトリクス表示の各ラインにおいて放電ギャップ１４を挟んで隣接するように列方向に交互に配列されている。ここで、隔壁１２によって区画され、走査電極４と維持電極５よりなる表示電極６とデータ電極１０とが直交する部分が、図２の破線で示す単位放電空間である放電セル１５として機能する。誘電体層７は図２に示すように、隣接する表示電極６の間に非放電領域１６には突出部１７が形成されている。また、この突出部１７を、例えば黒色などに着色してコントラスト向上させてもよいし、さらにこの領域の前面基板３上に、コントラストを向上させる目的でブラックストライプ（不図示）を形成してもよい。
【００２９】
ここで、従来のＰＤＰにおいては、不純物ガスが放電空間、特に放電セルに存在することによって、放電セル毎に放電開始電圧などの放電特性のばらつきが発生し、表示画像の画質が劣化してしまうという問題が生じる場合があった。また、不純物ガスの存在によるものと考えられる構成物の変質が発生し、ＰＤＰとしての寿命が低下してしまうという問題が発生する場合もあった。
【００３０】
通常、ＰＤＰ製造工程の排気ベーキング工程において、ＰＤＰを加熱して内部に付着して存在する不純物を脱離、ガス化させ、その状態で真空排気することによりＰＤＰ外に排出し、その後に放電ガスの封入を行っている。しかしながら、そのような排気ベーキングを行ったにもかかわらず、ＰＤＰの画質および寿命に大幅な劣化が発生してしまうという場合があった。しかしながら、排気ベーキング後に封着をした後のＰＤＰであっても、内部空間にはさらに、Ｈ２Ｏ、ＣＯ２、ＳＯｘ、ＮＯｘ、ハイドロカーボンなどの不純物ガスの存在が確認され、ＰＤＰの特性の劣化の一因がそれらの不純物ガスであることが判った。さらに、不純物ガスはＰＤＰ内部の隔壁、ＭｇＯ、蛍光体層、誘電体層などの構成物質に吸着または結合を形成すると考えられ、吸着または結合を切って脱離させるためにはさらに高温に加熱することが必要となる。
【００３１】
しかしながら、従来の排気ベーキングの際の加熱温度は、ＰＤＰを構成する構成物の軟化点や融点などに制限されるため、十分に高温にすることができない。その結果、不純物ガスを脱離させることができず、ＰＤＰ外に十分に排出することができないものと考えられる。
【００３２】
また、吸着または結合を形成しない不純物ガスであっても、排気ベーキングは、通常、背面基板９に設けた排気孔や排気管を通じて行われるが、ＰＤＰの内部空間が非常に微細であるため排気抵抗が非常に高く、これらの不純物ガスを十分に排出することが困難であると考えられる。さらに、これらの不純物ガスがより高い温度でないと脱離しない他の強い結合を作る吸着サイトに吸着または結合する場合も考えられる。
【００３３】
このように、排気ベーキングの加熱温度では脱離しない強い結合を作る不純物ガスが、放電の高いエネルギーに曝されることで脱離が発生することである。このため、映像において常に同じ位置において強い発光を必要とするパターンを表示させた場合に、その部分の電圧が変動するとともに、その周囲の非発光の放電セルにおいて電圧が上昇する問題が生じる。これらは前述した放電により結合が切れた不純物ガスが各放電セル間を移動して別の放電セルに吸着または結合したためと考えられる。
【００３４】
この不純物ガスの対策として不純物ガスを吸着または結合を形成する物質を放電空間内に形成する方法が知られている。しかし、この方法では吸着または結合した不純物ガスが放電に曝されるため、放電のエネルギーにより脱離してしまうおそれがある。前面板１の誘電体層７上に設けたＭｇＯ保護層８は不純物ガスの吸着性能が高いが、放電に曝されるため吸着した不純物ガスを再放出して不純物ガスによる悪影響を発生させる。
【００３５】
図３は図２におけるＡ−Ａ断面図である。図３に示すように、誘電体層７に突出部１７が形成され、さらに突出部１７に不純物ガスを吸着または結合させる材料で構成した第２の突出部１７ａを設けている。表示電極６により形成された放電１８は、この突出部１７によって突出部１７の内部のみに局在化させることができ、さらに突出部１７の頂部領域にまで放電が広がらないように制御することができる。したがって、この放電１８に曝されない突出部１７の頂部領域に、不純物ガスを吸着または結合させる材料で構成した第２の突出部１７ａを設けることによって不純物ガスを吸着、結合させてその脱離を抑制することができる。すなわち、本発明の第１の実施の形態によれば、誘電体層７に突出部１７を形成することで放電を突出部１７で囲まれた領域に制限し、突出部１７の放電に曝されない部分に不純物ガスを吸着または結合させる材料で構成した第２の突出部１７ａに不純物ガスを吸着、結合させてその脱離を抑制するものである。
【００３６】
一方、ＭｇＯ保護層８は非常に薄く比表面積が小さいが、本実施の形態のように不純物ガスを吸着または結合させる材料で第２の突出部１７ａを設けることで比表面積を拡大することができ、ＰＤＰ内全体での吸着能力をＭｇＯ保護層８以上に高めることができることも非常に重要な点である。
【００３７】
次に、放電１８が突出部１７で囲まれた領域に制限される原理を説明する。誘電体層７に突出部１７を形成することで、突出部１７は実効的に誘電体の膜厚が厚くなったことに相当する。これに対して、放電開始電圧は誘電体の膜厚が薄いほど早くなるため、突出部１７以外の部分が放電しやすくなる。また、突出部１７は物理的にも障壁として働くため電荷の移動を抑制する。したがって、突出部１７の頂部領域や、突出部１７を越えて放電が広がることを防止でき、第２の突出部１７ａを構成する不純物ガスを吸着または結合する材料が放電に曝されることはなく、その材料に吸着または結合した不純物ガスが再脱離することを防止できる。
【００３８】
ＰＤＰ内で放電に悪影響を与える不純物ガスとしては、Ｈ２Ｏ、ＣＯ２、ＮＯｘ、ＳＯｘまたはハイドロカーボンなどが挙げられる。これらはＭｇＯ保護層８、蛍光体層１３などに吸着または結合し放電特性を変化させＰＤＰ内の放電のばらつきを発生させたり、固定パターンの表示において焼きつきなどの原因になる。
【００３９】
これらの不純物ガスを吸着または結合させる材料としては、アルカリ金属またはアルカリ土類金属の中から選ばれる少なくとも１つであることが好ましい。特にアルカリ金属またはアルカリ土類金属の酸化物または炭酸塩または硝酸塩またはハロゲン化物から選ばれる少なくとも１つであってもよい。例えば、マグネシウムの酸化物である酸化マグネシウムは室温から３００℃付近においてＨ２ＯまたはＣＯ２と結合し、水酸化マグネシウムまたは炭酸マグネシウムを形成することが知られている。ＰＤＰは封着、排気工程を過ぎると３００℃以上になることはなく、放電に曝されることがなければ十分にＨ２Ｏ、ＣＯ２、ＳＯｘ、ＮＯｘを吸着し、または結合をして安定した物質を形成することができる。同様の材料として、ナトリウム、カリウム、カルシウム、ストロンチウム、バリウムなどが挙げられる。
【００４０】
また、Ａｌ、Ｔｉ、Ｚｒ、Ｓｉなどの単体でもよいが、さらにこれらの酸化物は比表面積が大きく、ガスを吸着または結合しやすいことが知られている。さらに、これらはハイドロカーボンも含めて吸着または結合することができる。
【００４１】
図４は、図２における他の実施例のＡ−Ａ断面図であり、第２の突出部１７ｂとして、不純物ガスを吸着または結合する材料と誘電体材料とを混合した材料とした場合を示している。この場合、誘電体材料の誘電率を調整して、放電の広がりをさらに抑制するようにすることが可能となる。
【００４２】
なお、本実施の形態では、ＭｇＯ保護層８を形成後に、不純物ガスを吸着または結合する材料の層を形成する例を示しているが、誘電体層７の突出部１７の頂部に不純物ガスを吸着または結合する材料の第２の突出部１７ａ、１７ｂを形成した後、ＭｇＯ保護層８を形成しても同様の効果を得ることができる。ＭｇＯ保護層８の膜厚は通常０．５μｍ程度であるが、不純物ガスを吸着または結合する材料の粒径は１μｍ〜３μｍ程度のものが多く、比表面積が増大して、不純物ガスを吸着または結合する能力が高められる。
【００４３】
（第２の実施の形態）
図５は、本発明の第２の実施の形態におけるＰＤＰの構成を示す断面図である。
【００４４】
図５に示すように、本実施の形態では、誘電体層７自身は均一な膜厚であり、その誘電体層７の上に、不純物ガスを吸着または結合させる材料と誘電体層７よりも誘電率の低い誘電体材料とを含む第２の突出部１７ｃを設けた構造であり、他の構成は第１の実施の形態と同様である。このようにすると、誘電体層７や第２の突出部１７ｃの形成が容易となる。第２の突出部１７ｃの高さは５μｍ〜５０μｍであるが、望ましくは、１０μｍ〜３０μｍである。
【００４５】
なお、本実施の形態では、ＭｇＯ保護層８を形成後に、第２の突出部１７ｃを形成する例を示しているが、誘電体層７の上に第２の突出部１７ｃを形成後、ＭｇＯ保護層８を形成しても同様の効果を得ることができる。
【００４６】
（第３の実施の形態）
図６、図７は、本発明の第３の実施の形態におけるＰＤＰの画像表示部の構成を示す平面図である。前述の第１の実施の形態および第２の実施の形態においては、突出部１７は表示電極６に平行なストライプ状であったが、図６に示すように表示電極６と直交する方向、すなわち背面板２の隔壁１２と平行な方向の突出部１８を設けてよい。また、図７に示すように、井桁形状の突出部１９を設けてもよい。いずれの場合も、放電を突出部の内部に制御し、突出部が放電に曝されないようにすることによって不純物ガスを吸着または結合させて、ＰＤＰ内に再脱離させないようにして放電に対する不純物ガスの影響を抑制することができる。特に、井桁形状の突出部１９を設ける場合には、不純物ガスを吸着または結合させる材料が放電空間へ露出する面積を増やすことができるため、より効果的に不純物ガスの影響を抑制することができる。
【００４７】
なお、このような井桁形状の場合には、表示電極６に平行な突出部と直交する突出部の高さを異ならせることも可能である。
【００４８】
（第４の実施の形態）
図８は、本発明の第４の実施の形態におけるＰＤＰの画像表示部の構成を示す平面図であり、図９は図８のＡ−Ａ断面図である。
【００４９】
図８および図９に示すように、本発明の第４の実施の形態では、図７に示す第３の実施の形態の井桁形状の突出部１９のうち、表示電極６と平行な突出部を凹形状としている。すなわち、図８、図９において、突出部２０は放電セル１５を囲う井桁形状であり、表示電極６に平行な突出部２１とそれに直交する突出部２２とにより構成されている。隣接する表示電極６の間の非放電領域１６に位置する表示電極６と平行な突出部２１は、凹部２３を有した構造となっている。したがって、非放電領域１６に位置する突出部２１は凹状のくぼみ、溝が形成されているため、不純物ガスを吸着または結合させる材料の露出する表面積を増加させることができる。また、非放電領域１６が突出部２１で囲まれることにより、さらに放電に曝されることを防止することができる。また、溝状に形成された場合は、不純物ガスの通り道となるため、不純物ガスとの接触確率が上昇し不純物ガスを吸着または結合させやすくなる。
【００５０】
なお、上述の例では表示電極６と平行な突出部２１が凹状の溝を形成しているが、平行なあるいは直交するどちらか一方あるいは両方の突出部２１、２２が凹状の溝を形成する場合も同様の効果が得られる。
【００５１】
また、これらの突出部は放電に寄与しないため、コントラストの向上のために、灰色、黒色に着色していてもよい。
【００５２】
また、アルカリ金属またはアルカリ土類金属、およびその化合物の誘電率は、ＰＤＰの構成物である誘電体層よりも低い値を有する物質であるため、これらの物質で突出部を形成することによってさらに放電を突出物の内部に閉じ込めることが可能となる。
【００５３】
また、これら不純物ガスを吸着または結合させる材料を、ＰＤＰの突出部として形成する方法は、誘電体層上にスプレーなどで吹き付けてその皮膜を形成する方法や、これらの材料をペースト化してスクリーン印刷する方法などが考えられる。
【産業上の利用可能性】
【００５４】
以上述べてきたように本発明のＰＤＰは、ＰＤＰの放電空間に存在する不純物ガスを低減することができるため高画質、長寿命のＰＤＰを実現し、大画面の表示デバイスなどに有用である。
【図面の簡単な説明】
【００５５】
【図１】本発明の第１の実施の形態におけるＰＤＰの概略構成を示す斜視図
【図２】同ＰＤＰの画像表示部の構成を示す平面図
【図３】図２におけるＡ−Ａ断面図
【図４】図２における他の実施例のＡ−Ａ断面図
【図５】本発明の第２の実施の形態におけるＰＤＰの構成を示す断面図
【図６】本発明の第３の実施の形態におけるＰＤＰの画像表示部の構成を示す平面図
【図７】同ＰＤＰの他の実施例の画像表示部の構成を示す平面図
【図８】本発明の第４の実施の形態におけるＰＤＰの画像表示部の構成を示す平面図
【図９】図８のＡ−Ａ断面図
【符号の説明】
【００５６】
１    前面板
２    背面板
３    前面基板
４    走査電極
４ａ，５ａ    透明電極
４ｂ，５ｂ    バス電極
５    維持電極
６    表示電極
７，１１    誘電体層
８    ＭｇＯ保護層
９    背面基板
１０    データ電極
１２    隔壁
１３    蛍光体層
１４    放電ギャップ
１５    放電セル
１６    非放電領域
１７，１８，１９，２０，２１，２２    突出部
１７ａ，１７ｂ，１７ｃ    第２の突出部
１８    放電
２３    凹部
【図１】
2006031994.tif 000003
【図２】
2006031994.tif 000004
【図３】
2006031994.tif 000005
【図４】
2006031994.tif 000006
【図５】
2006031994.tif 000007
【図６】
2006031994.tif 000008
【図７】
2006031994.tif 000009
【図８】
2006031994.tif 000010
【図９】
2006031994.tif 000011